(57)【要約】      （修正有）【課題】部品点数と組付け工数の増加によるコストアップ防止、操作の容易性、組付け作業性、耐久性の向上を図った遊技機のリバーシブル灰皿構造を提供する。【解決手段】灰皿３が上面の左右に一対の係止溝、内側面に一対の係止溝、底面３５の左右に２対の係止溝、左右側面に一対の第一溝、第一溝と連続しその両端部に形成され第一溝よりも短く、延出方向が相違する直線状の左右一対の第二溝、を備え、支持部２が収納凹部２０、固定用突起２２ａ，２２ｂを二対、回転スライド用突起２３を一対、固定用底板２４，２５を備え、支持部２に対する、灰皿３の水平軸回転と、前後方向へのスライドにより、灰皿３の使用状態と不使用状態の、相互の状態への変更が可能である。【選択図】図７
2017012293.tif 000002
【特許請求の範囲】
【請求項１】
支持部に脱着自在に装着可能な灰皿を、使用状態と不使用状態に変更可能な遊技機のリバーシブル灰皿取付構造において、
前記灰皿の上面が開放面である、灰を受ける灰受凹部を有し、前記灰皿の外面が正面、背面、左側面、右側面、及び、底面の五面を有し、
前記上面及び下面の左右に、それぞれ、少なくとも一対の係止溝を設け、前記左右側面に中央斜め前後方向の下方向に形成される一対の直線状の第一溝と、該第一溝と連続し、その両端部に形成され前記第一溝よりも短い直線状の一対の第二溝と、
前記支持部に前記灰皿が収納可能な収納凹部を設け、該収納凹部の左右内側面に固定用突起を少なくとも一対設け、回転スライド用突起を少なくとも一対設け、前記収納凹部の下部に固定用底板を設け、
前記支持部に対する、前記灰皿の水平軸回転と、前後方向へのスライドにより、前記灰皿の使用状態と不使用状態の、他方の状態への変更が可能である遊技機のリバーシブル灰皿構造。
【請求項２】
前記灰皿の使用状態と不使用状態において、前記支持部の固定用突起が前記係止溝に係止し、回転スライド用突起が前記第二溝に嵌合し、固定用底板が、前記係止溝が嵌合することにより、前記灰皿が支持部に固定される請求項１の遊技機のリバーシブル灰皿構造。
【請求項３】
前記第二溝の近傍に配置され、外側に向けて開放端を有するとともに前記第二溝に隣接する傾斜面を有する第三溝を設け、前記回転スライド用突起が前記第三溝を通過することにより、前記灰皿を前記支持部に脱着する請求項１の遊技機のリバーシブル灰皿構造。
【請求項４】
前記回転スライド用突起が前記固定用突起よりも、前記収納凹部の左右側壁の上方外側に位置する請求項１の遊技機のリバーシブル灰皿構造。
【発明の詳細な説明】
【技術分野】
【０００１】
本発明は遊技機の灰皿が脱着可能で反転可能なリバーシブル灰皿に関する。
【背景技術】
【０００２】
特許文献１の発明によれば、ホール側だけが灰皿の拘束状態を決定することができるようにした遊技機を提供する。この発明は、回転軸２１ｅを軸受溝２５の縦溝２５ａの下端から横溝２５ｂの手前側の端に来るように移動し、灰皿２１を１８０度回転して灰受け凹部２１ａを下方に向けた後、再度、回転軸２１ｅを縦溝２５ａの下端に移動し、灰皿２１を使用不可能な状態とする。この状態で、施錠装置が施錠動作されたことがフォトインタラプタにより検知されると、電気制御によりソレノイド２６への給電が停止される。ソレノイド２６への給電が停止されると、ソレノイド２６の駆動鉄芯２６ａの一部がボビン２６ｂ内部から引き出され、駆動鉄芯２６ａの先端が灰皿２１の挿入穴２１ｄに挿入される。これにより、灰皿２１は使用不可能な状態で拘束される。
【０００３】
特許文献２の発明によれば、不使用時には遊技の邪魔にならないように灰皿本体を反転できる灰皿取付装置を提供する。この発明は、灰皿本体４１を使用しないときには、使用可能状態にある灰皿本体４１を手前に移動させ、両突起４９を第１水平溝５１１の終端まで摺動させて両突起４９中心にしてほぼ１８０゜回転し、両突起４９を垂直溝５１５から第２水平溝５１３の始端まで摺動させ、灰皿本体４１を後方に移動させてその後端を凹部に押し込む。これにより、反転状態での灰皿本体４１の後側端が凹部に入り込んで灰皿本体４１の回転が阻止される。
【０００４】
特許文献３の発明によれば、簡単な構成により、不使用時には遊技の邪魔にならないように灰皿を反転できる灰皿取付装置を提供する。この発明は、ホルダ４３と、灰皿４１の両側壁各々に形成された第１支持軸４５及び第２支持軸４７と、ホルダ４３の両側面各々に形成されたガイド部４９とを備えた灰皿取付装置を設ける。第１支持軸４５は灰皿４１の左右の両側壁外周面のほぼ中央部に植設し、第２支持軸４７は第１支持軸４５より少し後上方寄りの位置に植設する。ガイド部４９各々は、第１支持軸４５が嵌挿する直線状の移動ガイド溝４９１と、第２支持軸４７が嵌挿するほぼ半円状の反転ガイド溝４９３と、移動ガイド溝４９１に対して点対称の位置に、反転ガイド溝４９３の両端にそれぞれ連続して一対形成され第２支持軸４７が嵌挿して灰皿４１の前後への移動をガイドする移動ガイド溝４９１に平行な一対の補助ガイド溝４９５ａ，４９５ｂとを備える。
【先行技術文献】
【特許文献】
【０００５】
【特許文献１】特開2005-21512号公報
【特許文献２】特開2004-344359号公報
【特許文献３】特開2004-154171号公報
【発明の概要】
【発明が解決しようとする課題】
【０００６】
しかしながら、上記の先行技術では次のような課題が指摘される。
【０００７】
特許文献１の発明では、使用時と非使用時の固定に別部品のストッパを設けているため部品点数と組付け工数が増え、コストアップになっている。
【０００８】
特許文献２，３の発明のように、ストッパがない場合は、支持部の底部突起と支持部奥側へ侵入空間を設け回転後に押し込み固定する方法であり、操作が面倒である。また、突起と溝による使用時、非使用時の変換方法は、組付け時に支持部を無理に外側に拡げて灰皿を組み込む必要があり、組付け作業性、耐久性が悪い。
【課題を解決するための手段】
【０００９】
上記課題に鑑み、本発明は、支持部に脱着自在に装着可能な灰皿を、使用状態と不使用状態に変更可能な遊技機のリバーシブル灰皿取付構造において、前記灰皿の上面が開放面である、灰を受ける灰受凹部を有し、前記灰皿の外面が正面、背面、左側面、右側面、及び、底面の五面を有し、前記上面及び下面の左右に、それぞれ、少なくとも一対の係止溝を設け、前記左右側面に中央斜め前後方向の下方向に形成される一対の直線状の第一溝と、該第一溝と連続し、その両端部に形成され前記第一溝よりも短い直線状の一対の第二溝と、前記支持部に前記灰皿が収納可能な収納凹部を設け、該収納凹部の左右内側面に固定用突起を少なくとも一対設け、回転スライド用突起を少なくとも一対設け、前記収納凹部の下部に固定用底板を設け、前記支持部に対する、前記灰皿の水平軸回転と、前後方向へのスライドにより、前記灰皿の使用状態と不使用状態の、他方の状態への変更が可能である遊技機のリバーシブル灰皿構造である。
【００１０】
前記灰皿の使用状態と不使用状態において、前記支持部の固定用突起が前記係止溝に係止し、回転スライド用突起が前記第二溝に嵌合し、固定用底板が、前記係止溝が嵌合することにより、前記灰皿が支持部に固定されることが好ましい。
【００１１】
前記第二溝の近傍に配置され、外側に向けて開放端を有するとともに前記第二溝に隣接する傾斜面を有する第三溝を設け、前記回転スライド用突起が前記第三溝を通過することにより、前記灰皿を前記支持部に脱着することが好ましい。
【００１２】
前記回転スライド用突起が前記固定用突起よりも、前記収納凹部の左右側壁の上方外側に位置することが好ましい。
【発明の効果】
【００１３】
請求項１〜３の発明によれば、灰皿と支持部の２つの部品から構成されるため、低コストが実現できる。また、灰皿の軸回転とスライドにより、灰皿使用状態と灰皿不使用状態の変更が容易である。
【００１４】
請求項３の発明によれば、灰皿を支持部に組み付けるときの作業性が良好であり、耐久性も良好である。一旦、灰皿を支持部に装着すると、確実に固定され、灰皿が支持部から抜けにくい。掃除もし易い。灰皿を支持部から容易に引き抜くことができる。
【図面の簡単な説明】
【００１５】
【図１】本発明実施形態の遊技機のリバーシブル灰皿構造の灰皿使用状態の斜視図である。
【図２】同じく平面図である。
【図３】同じく正面図である。
【図４】本発明実施形態の遊技機のリバーシブル灰皿構造の灰皿不使用状態の斜視図である。
【図５】同じく平面図である。
【図６】同じく正面図である。
【図７】（ａ）は同じく右側面図、（ｂ）は図６のＢ−Ｂ断面図、（ｃ）は図６の支持部のみのＢ−Ｂ断面図、（ｄ）は図６のＣ−Ｃ断面図である。
【図８】同じく灰皿の右面図である。
【図９】（ａ）は灰皿使用状態（図２のＤ−Ｄ断面図）の断面図、（ｂ）は灰皿を回転スライド用突起の回りに反時計方向に回転させた状態の断面図、（ｃ）は図９（ｂ）から灰皿をさらに回転させて垂直状態とした状態の断面図である。
【図１０】（ａ）は図９（ｃ）から灰皿をさらに反時計方向に回転させて水平方向とした状態の断面図、（ｂ）は図１０（ａ）から灰皿を奥側（図で右方向）に水平にスライドさせ押し込んだ状態の断面図、図１０（ｂ）から灰皿を下方向にスライドさせて装着した灰皿不使用状態の断面図である。
【発明を実施するための形態】
【００１６】
本発明実施形態の遊技機（例えば、スロットマシン）のリバーシブル灰皿構造１（以下、単に、灰皿構造１という。）について図面を参照して説明する。
【００１７】
この灰皿構造１は、支持部２に脱着自在に装着可能な灰皿３を、使用状態と不使用状態に変更可能な遊技機のリバーシブル灰皿取付構造である。そして、灰皿３の上面３０が開放面で枡形状の、灰を受ける灰受凹部４を有し、灰皿３の外面が正面３１、背面３２、左側面３３、右側面３４、及び、底面３５の五面を有し、上面３０の左右に一対の係止溝５ａ，５ｂ、内側面に一対の係止溝５ｃ（他の係止溝は左右一対であるので、図示は省略する）を設け、底面３５の左右に２対の係止溝６ａ〜６ｄを設け、左右側面３３，３４に中央斜め前後方向の下方向に形成される一対の直線状の第一溝７（他の一個は左右対称であるので、図示略とする。）と、第一溝７と連続しその両端部に形成され第一溝７よりも短く、延出方向が相違する直線状の左右一対の第二溝８ａ，８ｂ（左側面の第二溝は左右対称であるので、図示略とする。）と、を備えている。
【００１８】
支持部２に灰皿３が収納可能な収納凹部２０を設け、収納凹部２０の左右にある内側壁２１（左側壁面は図示略とする。）に固定用突起２２ａ，２２ｂを二対設け（左側面の固定用突起は左右対称であるので、図示略とする。）、回転スライド用突起２３を一対設け、収納凹部２０の前側と奥側下部にはそれぞれ固定用底板２４，２５を設けている。これにより、支持部２に対する、灰皿３の水平軸回転と、前後方向へのスライドにより、灰皿３の使用状態と不使用状態の、相互の状態への変更が可能である。
【００１９】
灰皿３の使用状態において、支持部２の係止溝６ａ，６ｂに固定用突起２２ａ，２２ｂが係止され、回転スライド用突起２３が第二溝８ａに嵌合し、固定用底板２４，２５が灰皿３の底面３５の部分に接触し支持することにより、灰皿３が支持部２に固定される構造である。また、灰皿３の不使用状態において、係止溝５ａ，５ｂ，５ｂに固定用突起２２ａ，２２ｂが係止し、回転スライド用突起２３が第二溝８ｂに嵌合し、固定用底板２４が灰皿３の上面３０に接触支持することにより、灰皿３が支持部２に固定される構造である。さらに、灰皿と収納凹部２０に隙間２６が形成されるよう、形状、構造が設定してあるので、灰皿３の軸回転とスライドを行うことが可能な空間を確保している。
【００２０】
図７（ｃ）に示す通り、回転スライド用突起２３が固定用突起２２ａ，２２ｂよりも、収納凹部２０の内側壁２１の上方前側に位置するよう構成されている。
【００２１】
第三溝９は、第二溝８ｂの近傍に配置され、外側に向けて開放端９ａを有するとともに第二溝８ｂに隣接する傾斜面９ｂを有する。回転スライド用突起２３が第三溝９を通過することにより、灰皿３を支持部２に脱着する。なお、左側面３３に設けた第三溝９は左右対称であるので、図示略とする。
【００２２】
その他、支持部２は、遊技媒体（例えば、コイン）を貯留する凹部を有する貯留部１０と、遊技機への取付部１１と、を備えている。灰皿３はタバコ置き溝１２を備えている。以下、各構成を詳細に説明する。
【００２３】
支持部２は遊技機の下皿として遊技媒体を貯留する機能、灰皿としての機能を備える。収容凹部２０は略台形の立体形状である。上面３０は台形形状である。
【００２４】
固定用突起２２ａ，２２ｂは内側壁２１から収容凹部２０の凹み空間に向かって面方向と垂直に突出する凸部であり、固定用突起２２ａの突出長は固定用突起２２ｂの突出長よりも長く設定され、円柱形状であり、その位置は内側壁２１中央部から下部領域に配置されているが、その長さと形状と位置は限定されるわけではない。固定用突起２２ａ，２２ｂは横並びで間隔を開けて配置されている。固定用突起２２ａ，２２ｂは図１〜図３、図９に示す灰皿使用状態において、係止溝６ａ，６ｂとそれぞれ係合し、図４〜図６、図７（ｄ）に灰皿不使用状態において、係止溝５ａ，５ｃとそれぞれ係合する。
【００２５】
回転スライド用突起２３は、図７（ｃ）に示す通り、内側壁２１から面方向と垂直に突出する凸部であり、固定用突起２２ａの突出長と同程度に設定され、円柱形状であり、その位置は内側壁２１中央部から上部角部２７（図では湾曲形状）に近づいた位置に配置されているが、その長さと形状と位置は限定されるわけではない。回転スライド用突起２３は、第一溝７、第二溝８ａ，８ｂに遊嵌されて、それらの溝の範囲内に位置が規制されることで、灰皿３のスライドと軸回転が規制される。灰皿３の支持部２からの取り外しのときに、回転スライド用突起２３が第一溝７、第二溝８ｂを離脱して、第三溝９に移動し、通過できる。
【００２６】
固定用底板２４，２５は、収納凹部２０に底部に配置され、固定用底板２４は上方に突出する板材で、固定用底板２５は奥壁２８から前方に向かって横方向に突出する板材である。固定用底板２４は固定用底板２５よりも前方に間隔を開けて配置され、それらの間に固定用突起２２ａ，２２ｂが配置されている。
【００２７】
灰皿３の左側面３３と右側面３４は、その周縁部はリブ状の端壁３６が形成されることにより、その内側領域は、仕切壁３７で仕切られた、平坦で均一な深さの３箇所の凹みと第三溝９が形成されている。端壁３６に開放端９ａ、係止溝５ａ，５ｂ、５ｃ，６ａ，６ｂが形成されている。
【００２８】
係止溝５ａ，５ｂは半円形の溝であり、係止溝５ｃは端壁３６の反対面に設けた半円形の溝である。
【００２９】
係止溝６ａは半円形の溝で開放端を有し、係止溝６ｂは端壁３６を上下方向に貫通する切り欠き形状である。
【００３０】
第一溝７は灰皿３の水平方向に対し、後方に向かって右下がりに傾斜して形成されている。
【００３１】
第二溝８ａ，８ｂは、図８等に示す通り、相互に反対方向に第一溝７から延び出し、その端部が半円形となっている。回転スライド用突起２３の半円形部分が第二溝８ａ，８ｂの半円形の端部に嵌合するようになっている。第二溝８ａが右下がりに傾斜した第一溝７から上方向に延び出し、第二溝８ｂは第一溝７から下方向に延び出している。図８の例では第二溝８ａ，８ｂは略平行で延出方向が逆方向になっている。第一溝７と第二溝８ａ，８ｂとにより、１つの連続溝が形成される。右側面３４から、夫々、その面から垂直に起立するリブ状の仕切壁３７が端壁３６に接続するとともに、こられ端壁３６と仕切壁３７により、第一溝７と第二溝８ａ，８ｂと第三溝９が区画形成され、その他、３つの凹み領域が区画形成されている。第一溝７と第二溝８ａ，８ｂは無端壁で囲まれる。
【００３２】
一対の第三溝９は、第二溝８ｂから反対方向に延び出し、右側面３４から、垂直に起立するリブ状の仕切壁３７により他の領域と区画され、曲りながら背面３２の上部両端部に開口している。灰皿３を収容凹部２０に組み付けるときに、回転スライド用突起２３が第三溝９を通過して、仕切壁３７を乗り越えて、第一溝７、第二溝８ｂの溝部に遊嵌される。上部角部２７に対応する湾曲形状の上部角部３８が膨出するように形成される。図４に示す通り、不使用状態では、上部角部２７と上部角部３８が面一となるので、意匠性に優れる。
【００３３】
つぎに灰皿構造１の使用方法を説明する。
【００３４】
図９（ａ）に示す通り、灰皿構造１の使用状態において、灰皿３は灰受凹部４が上向きに開口するように配置され、固定用突起２２ａ，２２ｂが、夫々、係止溝６ａ，６ｂに嵌合し固定されている。固定用底板２４，２５が底面３５の部分に、夫々、接触し支持される。回転スライド用突起２３が第二溝８ａに嵌合する。
【００３５】
図１０（ｃ）に示す通り、灰皿構造１の不使用状態において、灰皿３は上下反転し、かつ、前後反転した状態となり、灰皿３は灰受凹部４が下向きに開口するように配置され、固定用突起２２ａ，２２ｂが、夫々、係止溝５ａ，５ｂ，５ｃに嵌合し固定されている。固定用底板２４が上面３０の縁部分に接触し支持されるが、固定用底板２５は上面３０に接触しない。回転スライド用突起２３が第二溝８ｂに嵌合する。
【００３６】
図９（ａ）の灰皿使用状態から図１０（ｃ）の灰皿不使用状態への変更は、灰皿３の前後方向での、軸回転とスライドにより行われ、この変更方法はいくつかの種類がある。基本的には、灰皿３を回転してからスライドしてもよいし、スライドしてから回転してもよいし、回転とスライドを同時に行いながら行ってもよい。ここでは、灰皿３を回転してからスライドする方法について説明し、他の方法は割愛する。
【００３７】
図９（ａ）から灰皿３を上方に持ち上げて、固定用突起２２ａ，２２ｂと、係止溝６ａ，６ｂとの嵌合を解除し、固定用底板２４，２５が底面３５の部分に接触しなくなり、回転スライド用突起２３が第二溝８ａから第一溝７の左端に移動させると、灰皿３を反時計方向に回転させると図９（ｂ）の状態となり、さらに、灰皿３を反時計方向に回転させると、前述した図９（ｃ）の状態となる。
【００３８】
図９（ｃ）の状態から灰皿３を反時計方向に回転させると、灰皿３は図１０（ａ）の状態となる。灰皿３を図１０（ａ）の状態から奥側にスライドさせると図１０（ｂ）の状態となる。灰皿３を図１０（ｂ）の状態から下側にスライドさせると図１０（ｃ）の状態となる。
【００３９】
灰皿３を支持部２から取り外すには、図１０（ｃ）の灰皿不使用状態から、収納凹部２０を少し横方向に押し広げながら、灰皿３を上方に引き上げると、回転スライド用突起２３が第二溝８ｂから第一溝７を経て第三溝９に移動し、開放端９ａから外部に抜け出る。
【００４０】
灰皿３を支持部２に装着するには、収納凹部２０を少し横方向に押し広げながら、第三溝９の出口から内部に回転スライド用突起２３を侵入させ、第一溝７に侵入させると、回転スライド用突起２３は第一溝７，第二溝８ａ，８ｂの仕切壁３７から抜けない。
【００４１】
灰皿３の灰を回収するとき、灰皿３は固定用底板２４，２５に載せられていて、係止溝６aが切り欠いてあるので、自由に前後に軸回転するようになっており、図９（ａ）から図１０（ａ）まで移動させることにより、灰の排出が可能である。
【００４２】
灰皿不使用状態のとき、少しの力では固定を解除できないように安定して位置を保持する必要がある。図１０（ｃ）に示す通り、固定用突起２２ｂで係止溝５ｃを係止するとともに、回転スライド用突起２３が第二溝８ｂに嵌合し、軽く力が加わった程度では、回転できず、また、上方への移動ができない。一方、固定用突起２２ｂは固定用突起２２ａより厚みが薄くしてあるので、少しの力で灰皿３を上方に引き上げることで、固定用突起２２ｂが灰皿３の係止溝５ｃに隣接する右側面３４の端壁３６を乗り越えることができるので、この係止は解除できる。
【００４３】
以上説明した本実施形態の灰皿構造１によれば、支持部２と灰皿３の２つの部品から構成されるため、ロック機構等の複雑な機構が不要となり、低コストが実現できる。灰皿３の軸回転とスライドにより、灰皿使用状態と灰皿不使用状態の変更が容易である。
【００４４】
灰皿３を支持部２に組み付けるときの作業性が良好であり、耐久性も良好である。灰皿３を支持部２に装着しても、灰皿３の使用状態では簡単に動かすことができる一方、灰皿３の不使用状態では灰皿３が支持部２に確実に固定できる。力の弱い人でも灰皿３を支持部２から容易に引き抜くことは可能である。灰皿３が反転することで、掃除もし易い。
【００４５】
支持部２と灰皿３の一体性が優れ、灰皿使用状態と灰皿不使用状態の意匠性に優れる。
【００４６】
以上の実施形態は、本発明の実施のための好ましい実施形態の例示である。また、当業者は、本発明の開示に鑑みて、本発明の要旨から離れることなく多数の改良、変更、置換、欠失、追加等が可能である。
【００４７】
（１）本実施形態では灰皿３が枡形の例を説明したが、これに限らず、他の形状の灰皿例も本発明の範囲に含まれる。
（２）本実施形態では、コイン貯留部に隣接して支持部２を設けた例を説明したが、コイン貯留部以外の他の部材に支持部２を設ける例も本発明の範囲に含まれる。
（３）本実施形態では、支持部２の収納凹部２０、内側壁２１、固定用突起２２ａ，２２ｂ、回転スライド用突起２３、固定用底板２４，２５、或いは灰皿３の灰受凹部４、係止溝５ａ，５ｂ，５ｃ、係止溝６ａ〜６ｄ、第一溝７、第二溝８ａ，８ｂ、第三溝９の形状と構造は例示であり、他の変形例も本発明の範囲に含まれる。
(４)本実施形態は、遊技機としてスロットマシンを例示したが、これに限らず、パチンコ機、アレンジボール機、ピンボール機等の各種遊技機に採用したリバーシブル灰皿にも適用が可能であり、本発明の範囲に含まれる。
【符号の説明】
【００４８】
１・・・灰皿構造
２・・・支持部
２０・・・収納凹部
２１・・・内側壁
２２ａ，２２ｂ・・・固定用突起
２３・・・回転スライド用突起
２４，２５・・・固定用底板
２６・・・隙間
２７・・・上部角部
２８・・・奥壁
３・・・灰皿
３０・・・上面
３１・・・正面
３２・・・背面
３３・・・左側面
３４・・・右側面
３５・・・底面
３６・・・端壁
３７・・・仕切壁
３８・・・上部角部
４・・・灰受凹部
５ａ，５ｂ，５ｃ・・・係止溝
６ａ〜６ｄ・・・係止溝
７・・・第一溝
８ａ，８ｂ・・・第二溝
９・・・第三溝
９ａ・・・開放端
９ｂ・・・傾斜面
１０・・・貯留部
１１・・・取付部
１２・・・タバコ置き溝
【図１】
2017012293.tif 000003
【図２】
2017012293.tif 000004
【図３】
2017012293.tif 000005
【図４】
2017012293.tif 000006
【図５】
2017012293.tif 000007
【図６】
2017012293.tif 000008
【図７】
2017012293.tif 000009
【図８】
2017012293.tif 000010
【図９】
2017012293.tif 000011
【図１０】
2017012293.tif 000012